(57)【要約】【課題】フィルターに対する付着物の除去が確実に行えると共に、組み立て時の作業性に優れ、フィルターキャップの取り付けが確実に行える浴槽用循環接続具を提供する。【解決手段】浴槽用循環接続具１において、底板６と仕切り部材７に外嵌して取り付けるフィルター部材８が合成樹脂製であり、このフィルター部材８が、底板６と仕切り部材７の外周に外嵌する周壁の前面にメッシュ３８を一体成形することにより形成されている。【選択図】　図１
2004061022.tif 000002
【特許請求の範囲】
【請求項１】
温湯吸入用通路と温湯吐出用開口を設けた底板の前面に仕切り部材を重ね、底板と仕切り部材の重なり面間に、上記温湯吸入用通路と連通して底板外周で開口する第１の温湯通路と、上記温湯吐出用開口と連通して底板外周で開口する第２の温湯通路を形成し、上記仕切り部材に、第１の温湯通路に逆止弁を介して連通する温湯吸入孔と、第２の温湯通路に逆止弁を介して連通する温湯吸入孔を設け、上記第１の温湯通路の途中と第２の温湯通路の途中のそれぞれに開口からの温湯の流入を阻止する逆止弁を設け、上記底板と仕切り部材にわたって外嵌したフィルター部材にフィルターキャップを外嵌し、フィルター部材とフィルターキャップの外周に上記第１の温湯通路と連通する温湯吐出口と第２の温湯通路と連通する温湯吐出口を設けた浴槽用循環接続具において、上記フィルター部材が、合成樹脂を用い、底板と仕切り部材の外周に外嵌する周壁の前面にメッシュを一体成形することにより形成されていることを特徴とする浴槽用循環接続具。
【請求項２】
上記メッシュは、一方向きのメッシュ素線と他方向きのメッシュ素線が直角に交差する網目により形成され、この網目はフィルター部材の軸心を通る一つの中心線に一方向きのメッシュ素線が平行する配置で形成されていることを特徴とする請求項１に記載の浴槽用循環接続具。
【請求項３】
上記両温湯吸入孔の逆止弁と、第１及び第２の温湯通路の途中に配置した逆止弁のそれぞれが、弁体を仕切り部材に装着することによって形成されていることを特徴とする請求項１又は２に記載の浴槽用循環接続具。
【請求項４】
上記第１及び第２の温湯通路の途中に配置する逆止弁の弁体が仕切り部材に装着された横長の帯板状に形成され、底板側に形成した温湯通路の周囲に上記逆止弁の弁体が温湯吐出流の逆流を防ぐように当接するシール壁を設け、このシール壁で囲まれた内部に弁体の途中を受けるリブを突設したことを特徴とする請求項１乃至３の何れかに記載の浴槽用循環接続具。
【請求項５】
上記底板の外周面に、前面側で開放して途中から周方向に屈曲する複数の係止溝と、この底板に外嵌するフィルター部材の内周面で各係止溝と対応する位置に、底板とフィルター部材の相対的な軸方向の移動と回動で、係止溝に対して係脱する係合突起を設け、上記係止溝の仕切り部材側の途中の位置に、係合突起が弾力的に通過する突部を設け、上記フィルター部材と仕切り部材の対向面の一方側中央位置に、他方側に当接する突起を設けたことを特徴とする請求項１乃至４の何れかに記載の浴槽用循環接続具。
【請求項６】
上記底板の外周面で第１及び第２の温湯通路の開口部周囲を、フィルター部材の内周に接するよう外径側の張出し部で囲み、仕切り部材の外径をこの張出し部の外径に一致させたことを特徴とする請求項１乃至５の何れかに記載の浴槽用循環接続具。
【請求項７】
上記底板の外周面に、前面側で開放して途中から周方向に屈曲する複数の係止溝と、この底板に外嵌するフィルター部材の内周面で各係止溝と対応する位置に、底板とフィルター部材の相対的な軸方向の移動と回動で、係止溝に対して係脱する係合突起を設け、第１及び第２の温湯通路の開口部が周方向に片寄った配置となり、この両温湯通路の開口部間で周方向の配置間隔が広い側に位置させる上記係止溝の内端部底面に、係合突起が乗り上げることで第１及び第２の温湯通路の開口部をフィルター部材の温湯吐出口に圧接させる半径方向の突部を設けたことを特徴とする請求項１乃至６の何れかに記載の浴槽用循環接続具。
【発明の詳細な説明】
【０００１】
【発明の属する技術分野】
この発明は、浴槽の側壁に取り付け、温湯を外部の加熱器を介して温湯を吐出及び吸い込んで循環させる配管を浴槽に接続するために用いる浴槽用循環接続具に関する。
【０００２】
【従来の技術】
浴槽の側壁に取り付け、温湯を吐出及び吸い込んで循環させるための浴槽用循環接続具は、浴槽の側壁に設けた貫通孔に挿通されるスリーブと、このスリーブの浴槽内側先端に設けた循環口本体と、上記スリーブの浴槽外に突出する部分に外液状に取り付けられる外部ケースとからなり、スリーブのフランジと外部ケースで浴槽の側壁を挟み込むことにより取り付けるようになっている。
【０００３】
上記循環口本体は、温湯吸入用通路と温湯吐出用通路を設けた円板状底板の前面に円板状の仕切り部材を重ね、この仕切り部材に温湯吸入用通路と逆止弁を介して連通する温湯吸入孔と、底板と仕切り部材の重なり面間に、上記温湯吐出用通路と連通し、底板外周で開口すると共に、途中に逆止弁が設けられた温湯吐出路を設け、上記重なり合う底板と仕切り部材に、前面が開口により開放したフィルターキャップを外嵌し、フィルターキャップの内部で仕切り部材の前面にフィルターを配置し、上記開口から温湯吸入孔に流れる温湯をフィルターで濾過すると共に、フィルターキャップの外周に上記温湯吐出路と連通するよう設けた温湯吐出口から温湯を吐出させるようになっている。
【０００４】
【発明が解決しようとする課題】
ところで、上記フィルターは、温湯の通過によって汚物が付着し、目詰まりを発生することになるが、従来の浴槽用循環接続具におけるフィルターは、金属製の金網を用い、これを円形に裁断したものをフィルターキャップと仕切り部材の間に配置した構造になっていたので、金網のメッシュに方向性がなく、ブラシ等を用いて掃除しても付着した汚物の剥離性が悪いという問題がある。
【０００５】
また、浴槽用循環接続具は、底板と仕切り部材の間において、仕切り部材の温湯吸入孔を開閉する逆止弁と、温湯吐出路の途中を開閉する逆止弁の二つの逆止弁が必要になるが、従来、一方の逆止弁における弁体を底板に取り付けると共に、他方の逆止弁における弁体を仕切り部材に取り付けた構造が採用されていたので、浴槽用循環接続具の組み立て時において、両逆止弁の配置を保持するのが難しく、組み立てに困難性を伴うという問題がある。
【０００６】
更に、底板と仕切り部材に対して外嵌したフィルターキャップは、底板に固定化する必要があり、この固定化のために嵌め合わせ構造が採用されているが、嵌着後のクリック感がないため、フィルターキャップの取り付けに不安が残るという問題がある。
【０００７】
そこで、この発明の課題は、フィルターに対する付着物の除去が確実に行えると共に、組み立て時の作業性に優れ、フィルターキャップの取り付けが確実に行える浴槽用循環接続具を提供することにある。
【０００８】
【課題を解決するための手段】
上記のような課題を解決するため、この発明は、温湯吸入用通路と温湯吐出用開口を設けた底板の前面に仕切り部材を重ね、底板と仕切り部材の重なり面間に、上記温湯吸入用通路と連通して底板外周で開口する第１の温湯通路と、上記温湯吐出用開口と連通して底板外周で開口する第２の温湯通路を形成し、上記仕切り部材に、第１の温湯通路に逆止弁を介して連通する温湯吸入孔と、第２の温湯通路に逆止弁を介して連通する温湯吸入孔を設け、上記第１の温湯通路の途中と第２の温湯通路の途中のそれぞれに開口からの温湯の流入を阻止する逆止弁を設け、上記底板と仕切り部材にわたって外嵌したフィルター部材にフィルターキャップを外嵌し、フィルター部材とフィルターキャップの外周に上記第１の温湯通路と連通する温湯吐出口と第２の温湯通路と連通する温湯吐出口を設けた浴槽用循環接続具において、上記フィルター部材が、合成樹脂を用い、底板と仕切り部材の外周に外嵌する周壁の前面にメッシュを一体成形することにより形成されている構成を採用したものである。
【０００９】
上記メッシュは、一方向きのメッシュ素線と他方向きのメッシュ素線が直角に交差する網目により形成され、この網目はフィルター部材の軸心を通る一つの中心線に一方向きのメッシュ素線が平行する配置で形成されているようにすると、メッシュ素線に一定の方向性が生じ、メッシュの付着物に対するブラシ等での剥離性が向上し、メッシュを清潔に保つことができる。
【００１０】
また、上記両温湯吸入孔の逆止弁と、第１及び第２の温湯通路の途中に配置した逆止弁のそれぞれが、弁体を仕切り部材に装着することによって形成されている構造とすることができ、組み立て時に、底板に対して下となる仕切り部材に両逆止弁の弁体が設けられていることにより、弁体を落ちないように保持する必要はなく、組み立ての作業性がよくなる。
【００１１】
上記第１及び第２の温湯通路の途中に配置する逆止弁の弁体が仕切り部材に装着された横長の帯板状に形成され、底板側に形成した温湯通路の周囲に上記逆止弁の弁体が温湯吐出流の逆流を防ぐように当接するシール壁を設け、このシール壁で囲まれた内部に弁体の途中を受けるリブを突設した構造とすることができ、リブで弁体の変形発生を防ぐことにより、逆止弁としての機能を確実に維持でき、第１及び第２の温湯通路に対して外部開口から温湯が逆流して流入するのを防ぐことができる。
【００１２】
更に、上記底板の外周面に、前面側で開放して途中から周方向に屈曲する複数の係止溝と、この底板に外嵌するフィルター部材の内周面で各係止溝と対応する位置に、底板とフィルター部材の相対的な軸方向の移動と回動で、係止溝に対して係脱する係合突起を設け、上記係止溝の仕切り部材側の途中の位置に、係合突起が弾力的に通過する突部を設け、上記フィルター部材と仕切り部材の対向面の一方側中央位置に、他方側に当接する突起を設けることができ、底板へのフィルター部材の嵌め合わせ時にクリック感が得られることになる。
【００１３】
また、上記底板の外周面で第１及び第２の温湯通路の開口部周囲を、フィルター部材の内周に接するよう外径側の張出し部で囲み、仕切り部材の外径をこの張出し部の外径に一致させ、底板とフィルター部材の嵌合面間に温湯が漏れないようにできる。
【００１４】
さらに、上記底板の外周面に、前面側で開放して途中から周方向に屈曲する複数の係止溝と、この底板に外嵌するフィルター部材の内周面で各係止溝と対応する位置に、底板とフィルター部材の相対的な軸方向の移動と回動で、係止溝に対して係脱する係合突起を設け、第１及び第２の温湯通路の開口部が周方向に片寄った配置となり、この両温湯通路の開口部間で周方向の配置間隔が広い側に位置させる上記係止溝の内端部底面に、係合突起が乗り上げることで第１及び第２の温湯通路の開口部をフィルター部材の温湯吐出口に圧接させる半径方向の突部を設け、第１及び第２の温湯通路の開口部とフィルター部材の温湯吐出口の連通部分の水密性を向上させるようにすることができる。
【００１５】
【発明の実施の形態】
以下、この発明の実施の形態を図示例と共に説明する。
【００１６】
図４のように、浴槽用循環接続具１は、浴槽の側壁Ａに設けた貫通孔Ｂに挿通されるスリーブ２と、このスリーブ２の浴槽内側先端に設けた循環口本体３と、上記スリーブ２の浴槽外に突出する部分に外嵌状螺合して取り付ける外部ケース４とを有している。
【００１７】
上記スリーブ２は、合成樹脂製であり、貫通孔Ｂに挿通する円筒部の先端外周にフランジ５を設けて形成され、フランジ５に接するようにパッキングが円筒部に挿入されている。また、外部ケース４は、スリーブ２の円筒部に外嵌螺合し、その先端フランジ５をパッキングで覆い、スリーブ２に対してねじ込んで浴槽の側壁Ａをパッキングで挟むことにより、スリーブ２と外部ケース４は浴槽の側壁Ａに水密状に固定される。
【００１８】
上記循環口本体３は、図１と図３のように、スリーブ２のフランジ５の前面に重ねて固定する底板６と、この底板６の前面に重ねて固定する円形の仕切り部材７と、仕切り部材７の前面から底板６と仕切り部材７の外周にわたって外嵌するフィルター部材８と、このフィルター部材８の前面から外周にわたって外嵌するフィルターキャップ９の組み合わせによって形成されている。
【００１９】
上記底板６は、合成樹脂を用いて円形に形成され、その背面側中央に内部が温湯吸入用通路１０となる筒体１１が突設され、この筒体１１がスリーブ２内で外部ケース４の内部に突設した接続筒１２と水密状に接続され、外部ケース４に設けた温湯吸入管１３と連通している。
【００２０】
この底板６には、筒体１１の外部の位置に温湯吐出用開口１４が前後に貫通するよう設けられ、温湯吐出用開口１４はスリーブ２の内部と外部ケース４の内部を介して、外部ケース４に設けた温湯吐出管１５と接続されている。
【００２１】
上記底板６における前面側には、温湯吸入用通路１０と連通して底板６の外周で開放する第１の温湯通路１６と、温湯吐出用開口１４と連通して底板６の外周で開放する第２の温湯通路１７が、互いに連通しないように仕切り壁１８で区切って設けられている。
【００２２】
上記仕切り部材７は、合成樹脂を用い、底板６と同径の円板状に形成され、底板６の前面に重なってビスで固定された状態で、上記底板６の前面側に凹入するよう形成された第１及び第２の温湯通路１５、１６の前面側を閉鎖するようになっている。
【００２３】
この仕切り部材７には、第１の温湯通路１６と逆止弁１９を介して連通する温湯吸入孔２０と、第２の温湯通路１７と逆止弁２１を介して連通する温湯吸入孔２２の二つが設けられ、両温湯吸入孔２０、２２の逆止弁１９、２１は、仕切り部材７の前面側からの温湯の流入を許容し、逆流は阻止するように、仕切り部材７の背面側に直接取り付けられている。
【００２４】
この逆止弁１９、２１は、図３のように、温湯吸入孔２０、２２の周囲で仕切り部材７の背面側に円筒状のシート筒２３を設け、シート筒２３と同軸心状の配置で設けた小径筒２４に、ゴム等を用いた円形の弁体２５の軸２６を差し込むことによって取り付け、弁体２５を仕切り部材７の背面側に配置した構造になっている。
【００２５】
従って、両逆止弁１９、２１は、仕切り部材７の前面側から第１及び第２の温湯通路への温湯の流入を許容すると共に、第１及び第２の温湯通路１５、１６から温湯吸入孔２０、２２への温湯の流出を阻止するようになっている。
【００２６】
また、第１及び第２の温湯通路１６、１７の途中にはそれぞれ逆止弁２７、２８が設けられ、各逆止弁２７、２８は、第１及び第２の温湯通路１６、１７から開口端へ向けての温湯の流出を許容し、逆流は阻止することになる。
【００２７】
この逆止弁２７、２８は、図３と図７のように、ゴム等の弾性部材を用いた弁体２９が、横長のベース部材３０と弁板３１とで断面Ｌ字状に形成され、ベース部材３０の突部や突起３２を仕切り部材７の背面に設けた溝や孔３３に圧入することにより仕切り部材７に取り付けられ、底板６における第１及び第２の温湯通路１６、１７の途中に、上記弁板３１が当接するコ字状のシール壁３４を設けた構造になっている。
【００２８】
上記底板７には、シール壁３４で囲まれた内部に逆止弁２７、２８の弁板２９の途中を受ける複数本のリブ３５を突設し、このリブ３５で弁板２９が閉弁方向に変形するのを防止し、閉弁機能が低下することのないようにしている。
【００２９】
このように、第１及び第２の温湯通路１６、１７の途中に設ける逆止弁２７、２８と、両温湯吸入孔２０、２２の逆止弁１９、２１を共に仕切り部材７の背面側に取り付けることにより、循環口本体３の組み立て時の作業性が向上する。
【００３０】
また、上記のような各逆止弁１９、２１と２７、２８の配置構造により、循環口本体３は加熱器との接続時における温湯の吸入と吐出方向の接続に対して無極性となり、温湯吸入管１３と温湯吐出管１５が加熱器に対して逆に接続された場合、温湯の流れは吸入と吐出が逆となるだけで何ら支障は生じないことになる。
【００３１】
前記仕切り部材７の前面から底板６と仕切り部材７の外周にわたって外嵌するフィルター部材８は、図２と図５のように、合成樹脂を用い、底板６と仕切り部材７の外周にわたって外嵌する環状周壁３６と前壁３７とからなり、このフィルター部材８の前壁３７には、メッシュ３８が一体成形されている。
【００３２】
上記メッシュ３８は、一方向きのメッシュ素線３８ａと他方向きのメッシュ素線３８ｂが直角に交差する網目に形成され、この網目はフィルター部材８の軸心を通る一つの中心線に一方向きのメッシュ素線３８ａが平行する配置で形成され、これにより、メッシュ素線３８ａ、３８ｂに一定の方向性が生じ、メッシュ３８の付着物に対するブラシ等での剥離性が向上し、メッシュ３８を清潔に保つことができることになる。
【００３３】
このフィルター部材８の前面から環状周壁３６の外周にわたって外嵌するフィルターキャップ９は、図２のように、周壁３９と前壁４０からなるステンレス等の金属製であり、その前壁４０に通湯開口４１が設けられ、周壁３９に設けた複数の係止孔４２をフィルター部材８の環状周壁３６に設けた係止突起４３に対して係合させることにより、フィルター部材８に対して固定化され、上記フィルター部材８の環状周壁３６とフィルターキャップ９の周壁３９には、第１及び第２の温湯通路１６、１７と連通する温湯吐出口４４、４５が設けられている。
【００３４】
上記フィルター部材８は、仕切り部材７と底板６に外嵌する状態で底板６と固定化される。フィルター部材８と底板６の固定化のため、図３のように、底板６の外周面に前面側で開放して途中から周方向に屈曲する複数の係止溝４６を形成し、フィルター部材８の環状周壁３６の内周面で各係止溝４６と対応する位置に、底板６とフィルター部材８の相対的な軸方向の移動と回動で、係止溝４６に対して係脱する係合突起４７を設け、フィルター部材８と底板６を軸方向に嵌合わせて一方を周方向に回転させると、係止溝４６と係合突起４７が係合し、フィルター部材８と底板６の両者は軸方向に固定化される。
【００３５】
このような嵌め合わせと回転による固定化において、固定完了時にクリック感が得られるように、図８のように、係止溝４６の仕切り部材７側の途中の位置に、係合突起４７が弾力的に通過する突部５１を設け、上記フィルター部材８の前壁３７における内面側で仕切り部材７に対向する中央位置に、仕切り部材７に当接する突起４９を突設し、底板６とフィルター部材８の嵌め合わせ作業時に、合成樹脂の弾性を利用して、係合突起４７が突部５１を通過したときにクリック感が発生するようにしている。なお、フィルターキャップ９とフィルター部材８及び底板６は、嵌合わせ後にビスで結合固定する。
【００３６】
また、上記底板６の外周面において、第１及び第２の温湯通路１６、１７の開口部が周方向に片寄った配置となり、図８のように、この両温湯通路１６、１７の開口部間で周方向の配置間隔が広い側に位置させる上記係止溝４６の内端部底面に、半径方向に張り出した突部４８を設け、この突部４８と係合突起４７で、底板６とフィルター部材８の嵌め合わせ時に、係合突起４７が突部４８に乗り上げることで底板６の外周面に対してフィルター部材８を、第１及び第２の温湯通路１６、１７の開口部が位置する側が接近するように移動させ、第１及び第２の温湯通路１６、１７の開口部とフィルター部材８の温湯吐出口４４、４５の連通部分を密着させることにより、水密性を向上させるようにしている。
【００３７】
さらに、図３と図８のように、上記底板６の外周面で第１及び第２の温湯通路１６、１７の開口部周囲を、フィルター部材８の内周に接するよう外径側の張出し部５２で囲み、仕切り部材７の外径をこの張出し部５２の外径に一致させ、底板６とフィルター部材８の嵌合面間に温湯が漏れないようになっている。
【００３８】
この発明の浴槽用循環接続具は、上記のような構成であり、循環口本体３の組み立ては、フィルターキャップ９と嵌め合わせ結合したフィルター部材８を下にして、その内部に仕切り部材７を収め、次に、その上から底板６を嵌込んで係止溝４５に係合突起４７を嵌め合わせ、フィルター部材８と底板６を周方向へ相対的に回転させると、係止溝４６と係合突起４７が係合し、底板６を仕切り部材７にビスで固定すると共に、フィルターキャップ９から底板６にビスをねじ込めば、循環口本体３が組み上がることになる。
【００３９】
上記の組み立て作業時において、両温湯吸入孔２０、２２の逆止弁１９、２１と、第１及び第２の温湯通路１６、１７の途中に配置した逆止弁２７、２８のそれぞれが、弁体を仕切り部材７に装着することによって形成されているので、組み立て時に、底板６に対して下となる仕切り部材７に各逆止弁１９、２１及び２７、２８の弁体が設けられていることにより、弁体を落ちないように保持する必要はなく、組み立ての作業性がよくなる。
【００４０】
また、フィルター部材８と底板６を周方向へ相対的に回転させると、係止溝４６に対して係合する係合突起４７が上記係止溝４６の側縁に設けた突部５１を通過し、しかも、上記フィルター部材８の中央位置に、仕切り部材７に当接する突起４９を設けてあるので、フィルター部材８と底板６に合成樹脂の弾性を利用して軸方向の抵抗を生じさせ、このため、底板６を押し込むようにしてフィルター部材８と底板６を周方向へ相対的に回転させる必要があり、これによって、底板６へのフィルター部材８の嵌め合わせ時にクリック感が得られることになり、嵌め合わせの完了が確認できる。
しかも、底板６とフィルター部材８の嵌め合わせ時に、一つの係止溝４６の内端部底面に設けた半径方向に張り出した突部４８に係合突起４７が乗り上げることで、底板６の第１及び第２の温湯通路１６、１７の開口部がフィルター部材８の温湯吐出口４４、４５の連通部分を密着することになり、水密性を向上することになる。
【００４１】
上記組み上がった循環口本体３は、底板６の背面に重ねたスリーブ２のフランジ５に仕切り部材７と底板６をビスで結合することにより取り付けられ、このスリーブ２を浴槽１側壁Ａに設けた貫通孔Ｂに挿通し、上記スリーブ２の浴槽外に突出する部分に外部ケース４を外嵌状螺合し、外部ケース４に設けた温湯吸入管１３と温湯吐出管１５をそれぞれ外部の加熱器と接続する。
【００４２】
加熱器で温湯を沸かすと、温湯吸入管１３に吸引力が生じ、逆止弁１９が開弁し、メッシュ３８を通過した浴槽内の温湯は温湯吸入孔２０と、第１の温湯通路１６、温湯吸入用通路１０を通って加熱器に流れ、加熱器で加熱されて吐出された温湯は、温湯吐出用開口１４から第２の温湯通路１７を通り、逆止弁２８を押し開いて温湯吐出口４５から浴槽内に流出し、このような循環流によって浴槽内の温湯は加温されることになり、温湯が第２の温湯通路１７から温湯吐出口４５を通過して浴槽内に流出するとき、第２の温湯通路１７の開口端は、その周囲が厚肉になっているので、フィルター部材８との重なり面が閉鎖され、底板６とフィルター部材８の重なり面間の周囲への温湯の流出の発生はない。
【００４３】
【発明の効果】
以上のように、この発明によると、浴槽用循環接続具において、合成樹脂製のフィルター部材を、底板と仕切り部材の外周に外嵌する周壁の前面にメッシュを一体成形することにより形成したので、従来のような金網製のメッシュを別体に用意する必要がないだけでなく、メッシュを、一方向きのメッシュ素線と他方向きのメッシュ素線が直角に交差する網目により形成され、この網目はフィルター部材の軸心を通る一つの中心線に一方向きのメッシュ素線が平行する配置としたので、メッシュ素線に一定の方向性が生じ、メッシュの付着物に対するブラシ等での剥離性が向上し、メッシュを清潔に保つことができることになる。
【００４４】
また、上記両温湯吸入孔の逆止弁と、第１及び第２の温湯通路の途中に配置した逆止弁のそれぞれを、弁体が仕切り部材に装着することによって形成されているようにしたので、組み立て時に、底板に対して下となる仕切り部材に両逆止弁の弁体が設けられていることにより、弁体を落ちないように保持する必要はなくなり、循環口本体の組み立ての作業性がよくなる。
【００４５】
更に、第１及び第２の温湯通路の途中に配置する逆止弁において、弁体の途中を受けるリブを突設したので、リブで弁体の変形発生を防ぐことにより、逆止弁としての機能を確実に維持でき、第１及び第２の温湯通路に対して外部開口から温湯が逆流して流入するのを防ぐことができる。
【００４６】
また、底板とこれに外嵌するフィルター部材を結合する係止溝と係合突起において、上記係止溝の内端部底面に係合突起が乗り上げる突部を設け、上記フィルター部材とフィルター部材の対向面の一方側中央位置に、他方側に当接する突起を設けたので、底板へのフィルター部材の嵌め合わせ時にクリック感が得られることになり、底板とこれに外嵌するフィルター部材の結合完了が正確に確認できる。
【００４７】
また、上記底板の外周面で第１及び第２の温湯通路の開口部周囲を、フィルター部材の内周に接するよう外径側に厚くしたので、底板とフィルター部材の嵌合面間に温湯が漏れないようにすることができる。
【図面の簡単な説明】
【図１】この発明の浴槽用循環接続具を示す分解斜視図
【図２】同上におけるフィルター部材とフィルターキャップの分解斜視図
【図３】同上における底板と仕切り部材の分解斜視図
【図４】この発明の浴槽用循環接続具の組み立て状態を示す縦断側面図
【図５】フィルター部材の拡大した正面図
【図６】底板の一部を切り欠いた拡大背面図
【図７】仕切り部材の拡大した縦断背面図
【図８】（Ａ）は底板と仕切り部材の外周における係止溝と温湯通路の開口部分の構造を示す拡大平面図、（Ｂ）は同係止溝の部分の構造を示す拡大背面図
【符号の説明】
１　　浴槽用循環接続具
２　　スリーブ
３　　循環口本体
４　　外部ケース
５　　フランジ
６　　底板
７　　仕切り部材
８　　フィルター部材
９　　フィルターキャップ
１０　温湯吸入用通路
１１　筒体
１２　接続筒
１３　温湯吸入管
１４　温湯吐出用開口
１５　温湯吐出管
１６　第１の温湯通路
１７　第２の温湯通路
１８　仕切り壁
１９　逆止弁
２０　温湯吸入孔
２１　逆止弁
２２　温湯吸入孔
２３　シート筒
２４　小径筒
２５　弁体
２６　軸
２７　逆止弁
２８　逆止弁
２９　弁体
３０　ベース部材
３１　弁板
３２　突起
３３　孔
３４　シール壁
３５　リブ
３６　環状周壁
３７　前壁
３８　メッシュ
３９　周壁
４０　前壁
４１　通湯開口
４２　係止孔
４３　係止突起
４４　温湯吐出口
４５　温湯吐出口
４６　係止溝
４７　係合突起
４８　突部
４９　突起
５１　突部
５２　張出し部
【図１】
2004061022.tif 000003
【図２】
2004061022.tif 000004
【図３】
2004061022.tif 000005
【図４】
2004061022.tif 000006
【図５】
2004061022.tif 000007
【図６】
2004061022.tif 000008
【図７】
2004061022.tif 000009
【図８】
2004061022.tif 000010